【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
予測対象ブロックに隣接するブロックのイントラ予測モードに基づいて第１のイントラ予測モード候補リストと第２のイントラ予測モード候補リストを生成する予測モード候補生成部と、
前記予測対象ブロックのイントラ予測モードが前記第１のイントラ予測モード候補リストに含まれるか否かを示す第１のフラグを復号し、前記第１のフラグが真であれば、第１の候補特定インデックスを復号し、前記第１のフラグが偽であれば、前記予測対象ブロックのイントラ予測モードが前記第２のイントラ予測モード候補リストに含まれるか否かを示す第２のフラグを復号し、前記第２のフラグが真であれば、第２の候補特定インデックスを復号し、前記第２のフラグが偽であれば、前記予測対象ブロックのイントラ予測モードを示す情報を復号する復号部と、
前記第１のフラグが真であれば、前記第１の候補特定インデックスに基づいて前記第１のイントラ予測モード候補リストから前記予測対象ブロックのイントラ予測モードを選択し、前記第２のフラグが真であれば、前記第２の候補特定インデックスに基づいて前記第２のイントラ予測モード候補リストから前記予測対象ブロックのイントラ予測モードを選択し、前記第２のフラグが偽であれば、前記イントラ予測モードを示す情報に基づいて前記予測対象ブロックのイントラ予測モードを選択する予測モード選択部と、
前記予測対象ブロックのイントラ予測モードに基づいて前記予測対象ブロックに隣接する復号済みの画素から前記予測対象ブロックの予測値を算出する予測値算出部とを有し、
前記予測モード候補生成部は、前記第１のイントラ予測モード候補リストに含まれる候補と隣接する角度のイントラ予測モードを前記第２のイントラ予測モード候補リストに含めることを特徴とする画像復号装置。
【請求項２】
予測対象ブロックに隣接するブロックのイントラ予測モードに基づいて第１のイントラ予測モード候補リストと第２のイントラ予測モード候補リストを生成する予測モード候補生成ステップと、
前記予測対象ブロックのイントラ予測モードが前記第１のイントラ予測モード候補リストに含まれるか否かを示す第１のフラグを復号し、前記第１のフラグが真であれば、第１の候補特定インデックスを復号し、前記第１のフラグが偽であれば、前記予測対象ブロックのイントラ予測モードが前記第２のイントラ予測モード候補リストに含まれるか否かを示す第２のフラグを復号し、前記第２のフラグが真であれば、第２の候補特定インデックスを復号し、前記第２のフラグが偽であれば、前記予測対象ブロックのイントラ予測モードを示す情報を復号する復号ステップと、
前記第１のフラグが真であれば、前記第１の候補特定インデックスに基づいて前記第１のイントラ予測モード候補リストから前記予測対象ブロックのイントラ予測モードを選択し、前記第２のフラグが真であれば、前記第２の候補特定インデックスに基づいて前記第２のイントラ予測モード候補リストから前記予測対象ブロックのイントラ予測モードを選択し、前記第２のフラグが偽であれば、前記イントラ予測モードを示す情報に基づいて前記予測対象ブロックのイントラ予測モードを選択する予測モード選択ステップと、
前記予測対象ブロックのイントラ予測モードに基づいて前記予測対象ブロックに隣接する復号済みの画素から前記予測対象ブロックの予測値を算出する予測値算出ステップとを有し、
前記予測モード候補生成ステップは、前記第１のイントラ予測モード候補リストに含まれる候補と隣接する角度のイントラ予測モードを前記第２のイントラ予測モード候補リストに含めることを特徴とする画像復号方法。
【請求項３】
予測対象ブロックに隣接するブロックのイントラ予測モードに基づいて第１のイントラ予測モード候補リストと第２のイントラ予測モード候補リストを生成する予測モード候補生成ステップと、
前記予測対象ブロックのイントラ予測モードが前記第１のイントラ予測モード候補リストに含まれるか否かを示す第１のフラグを復号し、前記第１のフラグが真であれば、第１の候補特定インデックスを復号し、前記第１のフラグが偽であれば、前記予測対象ブロックのイントラ予測モードが前記第２のイントラ予測モード候補リストに含まれるか否かを示す第２のフラグを復号し、前記第２のフラグが真であれば、第２の候補特定インデックスを復号し、前記第２のフラグが偽であれば、前記予測対象ブロックのイントラ予測モードを示す情報を復号する復号ステップと、
前記第１のフラグが真であれば、前記第１の候補特定インデックスに基づいて前記第１のイントラ予測モード候補リストから前記予測対象ブロックのイントラ予測モードを選択し、前記第２のフラグが真であれば、前記第２の候補特定インデックスに基づいて前記第２のイントラ予測モード候補リストから前記予測対象ブロックのイントラ予測モードを選択し、前記第２のフラグが偽であれば、前記イントラ予測モードを示す情報に基づいて前記予測対象ブロックのイントラ予測モードを選択する予測モード選択ステップと、
前記予測対象ブロックのイントラ予測モードに基づいて前記予測対象ブロックに隣接する復号済みの画素から前記予測対象ブロックの予測値を算出する予測値算出ステップとをコンピュータに実行させ、
前記予測モード候補生成ステップは、前記第１のイントラ予測モード候補リストに含まれる候補と隣接する角度のイントラ予測モードを前記第２のイントラ予測モード候補リストに含めることを特徴とする画像復号プログラム。
【請求項４】
予測対象ブロックに隣接するブロックのイントラ予測モードに基づいて第１のイントラ予測モード候補リストと第２のイントラ予測モード候補リストを生成する予測モード候補生成部と、
前記予測対象ブロックのイントラ予測モードが前記第１のイントラ予測モード候補リストに含まれる場合、第１のフラグを真として符号化するとともに第１の候補特定インデックスを符号化し、前記予測対象ブロックのイントラ予測モードが前記第１のイントラ予測モード候補リストに含まれない場合、第１のフラグを偽として符号化するとともに前記予測対象ブロックのイントラ予測モードが前記第２のイントラ予測モード候補リストに含まれるか否かを示す第２のフラグを符号化し、前記第２のフラグが真であれば第２の候補特定インデックスを符号化し、前記第２のフラグが偽であれば、前記予測対象ブロックのイントラ予測モードを示す情報を符号化する符号化部と、
前記第１のフラグが真であれば、前記第１の候補特定インデックスに基づいて前記第１のイントラ予測モード候補リストから前記予測対象ブロックのイントラ予測モードを選択し、前記第２のフラグが真であれば、前記第２の候補特定インデックスに基づいて前記第２のイントラ予測モード候補リストから前記予測対象ブロックのイントラ予測モードを選択し、前記第２のフラグが偽であれば、前記イントラ予測モードを示す情報に基づいて前記予測対象ブロックのイントラ予測モードを選択する予測モード選択部と、
前記予測対象ブロックのイントラ予測モードに基づいて前記予測対象ブロックに隣接する符号化済みの画素から前記予測対象ブロックの予測値を算出する予測値算出部とを有し、
前記予測モード候補生成部は、前記第１のイントラ予測モード候補リストに含まれる候補と隣接する角度のイントラ予測モードを前記第２のイントラ予測モード候補リストに含めることを特徴とする画像符号化装置。
【請求項５】
予測対象ブロックに隣接するブロックのイントラ予測モードに基づいて第１のイントラ予測モード候補リストと第２のイントラ予測モード候補リストを生成する予測モード候補生成ステップと、
前記予測対象ブロックのイントラ予測モードが前記第１のイントラ予測モード候補リストに含まれる場合、第１のフラグを真として符号化するとともに第１の候補特定インデックスを符号化し、前記予測対象ブロックのイントラ予測モードが前記第１のイントラ予測モード候補リストに含まれない場合、第１のフラグを偽として符号化するとともに前記予測対象ブロックのイントラ予測モードが前記第２のイントラ予測モード候補リストに含まれるか否かを示す第２のフラグを符号化し、前記第２のフラグが真であれば第２の候補特定インデックスを符号化し、前記第２のフラグが偽であれば、前記予測対象ブロックのイントラ予測モードを示す情報を符号化する符号化ステップと、
前記第１のフラグが真であれば、前記第１の候補特定インデックスに基づいて前記第１のイントラ予測モード候補リストから前記予測対象ブロックのイントラ予測モードを選択し、前記第２のフラグが真であれば、前記第２の候補特定インデックスに基づいて前記第２のイントラ予測モード候補リストから前記予測対象ブロックのイントラ予測モードを選択し、前記第２のフラグが偽であれば、前記イントラ予測モードを示す情報に基づいて前記予測対象ブロックのイントラ予測モードを選択する予測モード選択ステップと、
前記予測対象ブロックのイントラ予測モードに基づいて前記予測対象ブロックに隣接する符号化済みの画素から前記予測対象ブロックの予測値を算出する予測値算出ステップとを有し、
前記予測モード候補生成ステップは、前記第１のイントラ予測モード候補リストに含まれる候補と隣接する角度のイントラ予測モードを前記第２のイントラ予測モード候補リストに含めることを特徴とする画像符号化方法。
【請求項６】
予測対象ブロックに隣接するブロックのイントラ予測モードに基づいて第１のイントラ予測モード候補リストと第２のイントラ予測モード候補リストを生成する予測モード候補生成ステップと、
前記予測対象ブロックのイントラ予測モードが前記第１のイントラ予測モード候補リストに含まれる場合、第１のフラグを真として符号化するとともに第１の候補特定インデックスを符号化し、前記予測対象ブロックのイントラ予測モードが前記第１のイントラ予測モード候補リストに含まれない場合、第１のフラグを偽として符号化するとともに前記予測対象ブロックのイントラ予測モードが前記第２のイントラ予測モード候補リストに含まれるか否かを示す第２のフラグを符号化し、前記第２のフラグが真であれば第２の候補特定インデックスを符号化し、前記第２のフラグが偽であれば、前記予測対象ブロックのイントラ予測モードを示す情報を符号化する符号化ステップと、
前記第１のフラグが真であれば、前記第１の候補特定インデックスに基づいて前記第１のイントラ予測モード候補リストから前記予測対象ブロックのイントラ予測モードを選択し、前記第２のフラグが真であれば、前記第２の候補特定インデックスに基づいて前記第２のイントラ予測モード候補リストから前記予測対象ブロックのイントラ予測モードを選択し、前記第２のフラグが偽であれば、前記イントラ予測モードを示す情報に基づいて前記予測対象ブロックのイントラ予測モードを選択する予測モード選択ステップと、
前記予測対象ブロックのイントラ予測モードに基づいて前記予測対象ブロックに隣接する符号化済みの画素から前記予測対象ブロックの予測値を算出する予測値算出ステップとをコンピュータに実行させ、
前記予測モード候補生成ステップは、前記第１のイントラ予測モード候補リストに含まれる候補と隣接する角度のイントラ予測モードを前記第２のイントラ予測モード候補リストに含めることを特徴とする画像符号化プログラム。